(57)【要約】      （修正有）【課題】  デジタルカメラの撮影条件設定を容易に行う。【解決手段】  撮影条件を表す撮影条件バーコード２０１を撮像し、このバーコード信号を解析してデジタルカメラ２０２の撮影条件を設定する。【選択図】  図２
2006113356.tif 000002
【特許請求の範囲】
【請求項１】
撮像素子で画像を撮影し、記憶媒体に画像データを保存する電子式のデジタルカメラにおいて、画像撮影用の画像取り込み手段を用いて、撮影条件設定を行うことを特徴とするデジタルカメラ。
【請求項２】
請求項１のデジタルカメラにおいて、スイッチにより撮影条件設定モードに切り替えた後、画像撮影用の画像取り込み手段を用いて、撮影条件設定を行い、引き続き撮影した被写体を、設定された撮影条件に基づいて撮影することを特徴とする請求項１に記載されたデジタルカメラ。
【請求項３】
請求項１又は請求項２のデジタルカメラにおいて、画像撮影用の画像取り込み手段を用いて、撮影条件が書かれた用紙の撮影を行うことによって、撮影条件の設定を行うことを特徴とする請求項１又は請求項２に記載のデジタルカメラ。
【請求項４】
請求項３のデジタルカメラにおいて、画像撮影用の画像取り込み手段を用いて、撮影条件がバーコードによって表記された用紙の撮影を行うことによって、撮影条件の設定を行うことを特徴とする請求項３に記載のデジタルカメラ。
【請求項５】
請求項４のデジタルカメラにおいて、画像撮影用の画像取り込み手段を用いて、スイッチにより撮影条件設定モードに切り替えた後、画像条件が縦線のバーコードによって表記された用紙をファインダー内に表示された水平線が横切るように撮影を行うことによって、バーコードを撮影し、取り込まれたバーコードを解析し、バーコードによって記述された撮影条件の設定を行うことを特徴とする請求項４に記載のデジタルカメラ。
【請求項６】
請求項３のデジタルカメラにおいて、画像撮影用の画像取り込み手段を用いて、撮影条件がマークシートによって表記された用紙の撮影を行うことによって、撮影条件の設定を行うことを特徴とする請求項３に記載のデジタルカメラ。
【請求項７】
請求項３のデジタルカメラにおいて、画像撮影用の画像取り込み手段を用いて、撮影条件が手書き文字によって表記された用紙の撮影を行うことによって、撮影条件の設定を行うことを特徴とする請求項３に記載のデジタルカメラ。
【請求項８】
撮像素子で画像を撮影し、記憶媒体に画像データを保存する電子式のデジタルカメラにおいて、撮影した画像と撮影したときの撮影条件を関連付けて記憶媒体に記憶することを特徴とするデジタルカメラ。
【請求項９】
請求項１および請求項８のデジタルカメラにおいて、撮像素子で画像を撮影し、記憶媒体に画像データを保存する電子式のデジタルカメラにおいて、撮影した画像と撮影したときの撮影条件を関連付けて記憶媒体に記憶し、画像と共に撮影条件をバーコードにして、接続された印刷機に印刷を行う請求項１および８に記載のデジタルカメラ。
【請求項１０】
請求項８のデジタルカメラの記憶媒体に記憶された撮影された画像と、共に記憶されたその画像を撮影したときの撮影条件をバーコードにして、接続された印刷機に印刷を行う請求項１および８に記載のデジタルカメラ。
【発明の詳細な説明】
【技術分野】
【０００１】
本発明は、撮影条件を設定し、画像撮影用の撮像素子により電子的に画像を撮影し、記憶媒体に記憶するデジタルカメラに関するものである。
【背景技術】
【０００２】
近年、撮像素子により電子的に画像を撮影し、記憶媒体に保存するデジタルカメラが急速に普及すると共に、その機能も格段に上がってきている。レンズの解像度、撮像素子の画素数も向上し、表現力を上げるため、露出やシャッター速度の設定など銀塩カメラ並みの性能を有するデジタルカメラが出てきた。
【０００３】
しかし、従来のデジタルカメラでは、露出やシャッター速度などカメラの撮影条件を設定する方式として、液晶画面とボタンを用いて行う方法が取られていた。
【発明の開示】
【発明が解決しようとする課題】
【０００４】
しかしながら、上記のような、撮影条件を液晶画面とボタンを用いた設定方法では、操作方法が複雑になり、また、設定に時間がかかるという問題があった。撮影１回ごとに変更をしようとすれば、シャッターチャンスを逃すという問題がある。
【０００５】
また、それらを設定するために、銀塩カメラでの特開平０５−０３４７９１に見られるようにバーコード読み取り装置を付加する方法も考えられるが、コストの増大を招くと言う問題がある。
【０００６】
また、この方法では、撮影条件入力と撮影の為にカメラとバーコード読み取り装置と持ち替える必要があり、大変手間で、操作にやや時間がかかり、これもまたシャッターチャンスを逃しやすいという欠点がある。
【０００７】
また、デジタルカメラとバーコード読み取り装置の２つを持ち歩かねばならず、可搬性を著しく低下させてしまう。
【課題を解決するための手段】
【０００８】
本発明は、上述の課題を解決することを目的としてなされたもので、この構成は、請求項１に記載するように、撮像素子で画像を撮影し、記憶媒体に画像データを保存する電子式のデジタルカメラにおいて、画像撮影用の画像取り込み手段を用いて、撮影条件設定を行うことを特徴とするデジタルカメラにある。
【０００９】
この構成によれば、デジタルカメラの画像取り込み手段を利用して、簡単に撮影条件の設定を行うことができる。
【００１０】
また、請求項２に記載する構成では、スイッチにより撮影条件設定モードに切り替えた後、撮影条件が書かれた用紙を撮影すると用紙に書かれた撮影条件が設定され、その後、撮影条件設定モードは自動的に解除され、撮影モードになり、その撮影条件にて撮影されることを特徴とするデジタルカメラにある。
【００１１】
この構成によれば、撮影条件設定後、撮影モードに切り替える手間が不要となり、簡単な操作で撮影が可能となる。
【００１２】
請求項３による構成では、撮影条件を用紙には、バーコードに変換して記述し、これを画像撮影用の画像取り込み手段を用いて読み込み、撮影モード設定を行う。バーコードの位置の検出には、請求項５に記述されるように、縦線によるバーコードを横切るようにファインダーに表示される横線でとらえて撮影され、ファインダーに表示される横線に相当するデータ位置をスキャンすることによりバーコードの解析を行う。
【発明の効果】
【００１３】
以上説明したように、余分なハードウエアを付加する必要がないことから、ハードウエアの負荷を招くことなく、低コストで実現でき、また、可搬性を損なわず、通常の撮影を全く同じ手順で撮影条件をデジタルカメラに設定することができ、操作が簡単で素早く設定することができ、シャッターチャンスを狙うことが非常に容易になる。また、撮影したが画像と撮影条件を並べて印刷しておけば、次回、その写真を見て、同じ条件の写真を素早く見つけることができて、同様に設定が可能である。
【発明を実施するための最良の形態】
【００１４】
（実施例１）
以下、本発明のデジタルカメラの第１の実施例を図面を参照して説明する。図１は、本実施例の主な機能を説明するための構成図である。図１に示したように、本実施例のデジタルカメラの形態は、レンズ１０１、ＣＣＤ１０２、アナログデータ処理部１０３、Ａ／Ｄ変換器１０４、画像処理部１０５、ＲＡＭ／ＲＯＭメモリ１０６、ＣＰＵ１０７、操作部１０８、表示部１０９を備えている。本実施例では、本発明を実施するためのソフトウェアは、ＲＯＭに書き込まれている。本ソフトウェアのフローチャートを図４に示す。
【００１５】
ユーザは、通常、表示部２０７を見ながら、選択ボタン２０５と設定ボタン２０６を操作し、露出（１．０，１．４，２．０，２．８，４．０，５．６，８．０，１１，１６，２２）、シャッター速度（１／１０００，１／２５０，１／６０，１／１５，１／４，１，４，１５，３０秒）、連写モードＯＮ／ＯＦＦなどを設定する。次に、シャッターボタン２０３を押して、撮影を行う。
【００１６】
画像の光は、レンズ１０１を通過後、ＣＣＤ１０２によって電気信号に変換され、１０３によって信号強度、色信号の補正を行う。次にＡ／Ｄ変換器１０４にてデジタル信号に変えられ、画像処理部１０５にてデジタル画像処理を行う。最後にＲＡＭ／ＲＯＭメモリ１０６に保存される。
【００１７】
次に、バーコードを使った場合の操作について説明する。
【００１８】
ユーザは、設定したい撮影条件が書かれたバーコード２０１を選び、撮影条件設定スイッチ２０４を押した後に、通常の撮影と同様にシャッタースイッチ２０３を押してバーコードの撮影を行う。このとき、図３に見られるようにファインダー内部に表示される水平線３０２がバーコードを横切るように撮影する。バーコード位置の認識は、水平線の位置によって行われるので、本実施例には、バーコード用紙にはバーコードしか記述されていないが、バーコード以外に撮影条件が人間にも分かるように文字で記述されていてもよい。また、バーコードでの撮影した写真の出来具合が分かるようにその撮影例をバーコードと共に表記しておくと、非常に分かりやすく、適切なバーコードを探し出すのに便利である。
【００１９】
次に、被写体２０９を撮影すると、バーコードに記述された撮影条件に従って撮影される。
【００２０】
次に、本発明のデジタルカメラの動作について、図４のフローチャートを参照して説明する。
【００２１】
電源が入れられると、ステップ４０１で撮影条件は初期値に設定される。ステップ４０２でシャッターが押されるまで待機する。ステップ４０３で撮影モードか撮影条件設定モードかの選択を行う。撮影条件設定スイッチ２０４が押されていた場合は、設定モードになる。ステップ４０４でバーコードの撮影を行う。ステップ４０５にて撮影した画像からバーコードの切り出しを行う。
【００２２】
バーコードは図３に見られるように、ファインダー内の水平線を横切るように撮影されるので、この水平線上の画素を取り出せばよい。ステップ４０６にて取り出したバーコードの信号から撮影条件を設定し、ステップ４０７にて露出（１．０，１．４，２．０，２．８，４．０，５．６，８．０，１１，１６，２２）、シャッター速度（１／１０００，１／２５０，１／６０，１／１５，１／４，１，４，１５，３０秒）、連写モードＯＮ／ＯＦＦなどを設定する。ステップ４０８にて通常の撮影モードに切り替え、ステップ４０２にて再びシャッターボタンが押されるまで待機する。
【００２３】
シャッターボタンが再び押されると、ステップ４０９にて被写体の撮影を行い、ステップ４１０にて画像処理／圧縮を行った後、ステップ４１１にて画像をメモリに格納する。その後、ステップ４０２にて再びシャッターボタンが押されるまで待機する。
【００２４】
第１の実施例の形態によれば、付加的なハードウエアを必要とせず、低コストで撮影条件の設定を簡単迅速に行うことができる。
【００２５】
本実施例では、撮影条件をバーコード化し、ＣＣＤにて読み取らせたが、バーコードの代わりにマークシートや手書き文字の認識など、書かれたものでＣＣＤで判別可能ならよい。
【００２６】
（実施例２）
以下、本発明の請求項８、請求項９、請求項１０に記述される発明の第２の実施例について説明する。図５は、本実施例の主な機能を説明するための構成図である。
【００２７】
第２の実施例の形態は、第１の実施例の形態が撮影時に撮影条件を設定する方法だけだったのに対して、撮影後、撮影した画像と撮影した時の撮影条件を関連付けて記憶媒体に保存させるようにしたものである。
【００２８】
また、プリンタインタフェースを設け、図６に見られるＰＣを介さず直接プリンタに印刷できるようにしてある。デジタルカメラに接続されたプリンタによって、プリンタから撮影した画像を印刷する際、図７に見られるように、その画像と共に関連付けられた撮影条件をバーコードに変換し、共に並べて印刷できるようにしたものである。
【００２９】
第２の実施例の形態によれば、撮影した画像と撮影時の撮影条件を共に関連付けて保存後、画像と共に撮影条件をバーコードにして用紙に印刷しておけば、撮影して撮影条件の設定を簡便に行うことができる。
【００３０】
（実施例３）
以下、本発明の請求項８に記述される発明の第２の実施例について説明する。図５は、本実施例の主な機能を説明するための構成図である。
【００３１】
第３の実施例の形態は、第１の実施例の形態が撮影時に撮影条件を設定する方法だけだったのに対して、撮影後、撮影した画像と撮影した時の撮影条件を関連付けて取り外し可能な記憶媒体に保存させるようにしたものであり、さらに、取り外し可能な媒体をＰＣを介してプリンタに印刷し、プリンタから撮影した画像を印刷する際、図７に見られるように、その画像と共に関連付けられた撮影条件をバーコードに変換し、共に並べて印刷できるようにしたものである。
【００３２】
第３の実施例の形態によれば、撮影した画像と撮影時の撮影条件を共に関連付けて保存後、画像と共に撮影条件をバーコードにして用紙に印刷しておけば、撮影して撮影条件の設定を簡便に行うことができる。
【００３３】
（他の実施の形態）
本実施例は、デジタル静止画カメラについて説明を行ったが、動画を撮影するデジタルカメラなど、電子式の画像撮影装置に適用できることは言うまでもない。
【図面の簡単な説明】
【００３４】
【図１】本発明の実施例１のブロック図である。
【図２】本発明の実施例１の使用例である。
【図３】本発明の実施例１のバーコード撮影時のファインダー内の表示である。
【図４】本発明の実施例１のフローチャートである。
【図５】本発明の実施例２のブロック図である。
【図６】本発明の実施例２の斜視図である。
【図７】本発明の実施例２の印刷例である。
【符号の説明】
【００３５】
１０１  レンズ
１０２  ＣＣＤ
１０３  アナログデータ処理部
１０４  Ａ／Ｄ変換器
１０５  画像処理部
１０６  ＲＡＭ／ＲＯＭメモリ
１０７  ＣＰＵ
１０８  操作部
１０９  表示部
２０１  撮影条件バーコード
２０２  本発明の実施例のデジタルカメラ
２０３  シャッターボタン
２０４  設定モードスイッチ
２０５  選択ボタン
２０６  設定ボタン
２０７  ファインダー
２０８  液晶表示部
２０９  被写体
３０１  ファインダー
３０２  バーコード用水平線
３０３  バーコード
５０１  レンズ
５０２  ＣＣＤ
５０３  アナログデータ処理部
５０４  Ａ／Ｄ変換器
５０５  画像処理部
５０６  ＲＡＭ／ＲＯＭメモリ
５０７  ＣＰＵ
５０８  操作部
５０９  表示部
５１０  メモリカードアダプタ
５１１  メモリカード
５１２  プリンタインタフェース
６０１  撮影した画像の印刷写真
６０２  撮影した画像の撮影条件のバーコード
７０１  実施例３の発明によるデジタルカメラ
７０２  デジタルカメラに接続されたプリンタ
【図１】
2006113356.tif 000003
【図２】
2006113356.tif 000004
【図３】
2006113356.tif 000005
【図４】
2006113356.tif 000006
【図５】
2006113356.tif 000007
【図６】
2006113356.tif 000008
【図７】
2006113356.tif 000009